【手続補正書】
【提出日】平成29年9月28日(2017.9.28)
【手続補正１】
【補正対象書類名】特許請求の範囲
【補正対象項目名】全文
【補正方法】変更
【補正の内容】
【特許請求の範囲】
【請求項１】
物体側から像側へ順に配置された、負の屈折力の第１レンズ群、開口絞りを含む正の屈折力の第２レンズ群、正の屈折力の第３レンズ群、負の屈折力の第４レンズ群を有し、ズーミングに際して隣り合うレンズ群の間隔が変化し、フォーカシングに際して前記第３レンズ群が移動するズームレンズであって、
望遠端における前記第３レンズ群の横倍率をβ３ｔとするとき、
−０．２０＜β３ｔ＜０．１５
なる条件式を満足することを特徴とするズームレンズ。
【請求項２】
無限遠に合焦したときの広角端における前記第２レンズ群と前記第３レンズ群の空気間隔をＤ２ｗ、無限遠に合焦したときの望遠端における前記第２レンズ群と前記第３レンズ群の空気間隔をＤ２ｔとするとき、
Ｄ２ｗ＜Ｄ２ｔ
なる条件式を満足することを特徴とする請求項１に記載のズームレンズ。
【請求項３】
前記第４レンズ群の像側にズーミングに際して不動の正の屈折力の第５レンズ群を有することを特徴とする請求項１または２に記載のズームレンズ。
【請求項４】
物体側から像側へ順に配置された、負の屈折力の第１レンズ群、開口絞りを含む正の屈折力の第２レンズ群、正の屈折力の第３レンズ群、負の屈折力の第４レンズ群を有し、無限遠合焦時のズーミングに際して、前記第１レンズ群と前記第２レンズ群の間隔及び前記第３レンズ群と前記第４レンズ群の間隔が変化し、フォーカシングに際して前記第３レンズ群が移動することにより、前記第２レンズ群と前記第３レンズ群の間隔及び前記第３レンズ群と前記第４レンズ群の間隔が変化するズームレンズであって、
望遠端における前記第３レンズ群の横倍率をβ３ｔとするとき、
−０．２０＜β３ｔ＜０．１５
なる条件式を満足することを特徴とするズームレンズ。
【請求項５】
前記第３レンズ群は１枚のレンズからなることを特徴とする請求項１乃至４のいずれか１項に記載のズームレンズ。
【請求項６】
前記第３レンズ群の焦点距離をｆ３、広角端におけるレンズ全系の焦点距離をｆｗとするとき、
１．０＜ｆ３／ｆｗ＜２．２
なる条件式を満足することを特徴とする請求項１乃至５のいずれか１項に記載のズームレンズ。
【請求項７】
前記第４レンズ群の焦点距離をｆ４、広角端におけるレンズ全系の焦点距離をｆｗとするとき、
−１．８＜ｆ４／ｆｗ＜−１．４
なる条件式を満足することを特徴とする請求項１乃至６のいずれか１項に記載のズームレンズ。
【請求項８】
前記第２レンズ群の焦点距離をｆ２、望遠端におけるレンズ全系の焦点距離をｆｔとするとき、
０．４＜ｆ２／ｆｔ＜０．８
なる条件式を満足することを特徴とする請求項１乃至７のいずれか１項に記載のズームレンズ。
【請求項９】
望遠端における前記第４レンズ群の横倍率をβ４ｔとするとき、
１．５＜β４ｔ＜４．０
なる条件式を満足することを特徴とする請求項１乃至８のいずれか１項に記載のズームレンズ。
【請求項１０】
広角端における前記開口絞りから、前記第３レンズ群の最も物体側のレンズの物体側のレンズ面頂点位置までの光軸上の間隔をＬｐｆｗとするとき、
０．２＜Ｌｐｆｗ／ｆｗ＜０．８
なる条件式を満足することを特徴とする請求項１乃至９のいずれか１項に記載のズームレンズ。
【請求項１１】
広角端における前記第１レンズ群と前記第２レンズ群の空気間隔をＤ１ｗ、望遠端における前記第１レンズ群と前記第２レンズ群の空気間隔をＤ１ｔとするとき、
Ｄ１ｗ＞Ｄ１ｔ
なる条件式を満足することを特徴とする請求項１乃至１０のいずれか１項に記載のズームレンズ。
【請求項１２】
無限遠に合焦したときの広角端における前記第３レンズ群と前記第４レンズ群の空気間隔をＤ３ｗ、無限遠に合焦したときの望遠端における前記第３レンズ群と前記第４レンズ群の空気間隔をＤ３ｔとするとき、
Ｄ３ｗ＜Ｄ３ｔ
なる条件式を満足することを特徴とする請求項１乃至１１のいずれか１項に記載のズームレンズ。
【請求項１３】
請求項１乃至１２のいずれか１項に記載のズームレンズと、該ズームレンズによって形成される像を受光する撮像素子とを有することを特徴とする撮像装置。
【手続補正２】
【補正対象書類名】明細書
【補正対象項目名】００１１
【補正方法】変更
【補正の内容】
【００１１】
本発明のズームレンズは、物体側から像側へ順に配置された、負の屈折力の第１レンズ群、開口絞りを含む正の屈折力の第２レンズ群、正の屈折力の第３レンズ群、負の屈折力の第４レンズ群を有し、ズーミングに際して隣り合うレンズ群の間隔が変化し、フォーカシングに際して前記第３レンズ群が移動するズームレンズであって、
望遠端における前記第３レンズ群の横倍率をβ３ｔとするとき、
−０．２０＜β３ｔ＜０．１５
なる条件式を満足することを特徴としている。
【手続補正３】
【補正対象書類名】明細書
【補正対象項目名】００１２
【補正方法】変更
【補正の内容】
【００１２】
この他本発明のズームレンズは、物体側から像側へ順に配置された、負の屈折力の第１レンズ群、開口絞りを含む正の屈折力の第２レンズ群、正の屈折力の第３レンズ群、負の屈折力の第４レンズ群を有し、無限遠合焦時のズーミングに際して、前記第１レンズ群と前記第２レンズ群の間隔及び前記第３レンズ群と前記第４レンズ群の間隔が変化し、フォーカシングに際して前記第３レンズ群が移動することにより、前記第２レンズ群と前記第３レンズ群の間隔及び前記第３レンズ群と前記第４レンズ群の間隔が変化するズームレンズであって、
望遠端における前記第３レンズ群の横倍率をβ３ｔとするとき、
−０．２０＜β３ｔ＜０．１５
なる条件式を満足することを特徴としている。
【手続補正４】
【補正対象書類名】明細書
【補正対象項目名】００１５
【補正方法】変更
【補正の内容】
【００１５】
以下に本発明の好ましい実施の形態を添付の図面に基づいて詳細に説明する。本発明のズームレンズは、物体側から像側へ順に配置された、負の屈折力の第１レンズ群、開口絞りを含む正の屈折力の第２レンズ群、正の屈折力の第３レンズ群、負の屈折力の第４レンズ群を有する。ズーミングに際して隣り合うレンズ群の間隔が変化する。フォーカシングに際して第３レンズ群が移動する。この他本発明のズームレンズは、物体側から像側へ順に配置された、負の屈折力の第１レンズ群、開口絞りを含む正の屈折力の第２レンズ群、正の屈折力の第３レンズ群、負の屈折力の第４レンズ群を有する。
【手続補正５】
【補正対象書類名】明細書
【補正対象項目名】００１６
【補正方法】変更
【補正の内容】
【００１６】
無限遠合焦時のズーミングに際して第１レンズ群と第２レンズ群の間隔及び第３レンズ群と第４レンズ群の間隔が変化する。フォーカシングに際して第３レンズ群が移動することにより第２レンズ群と第３レンズ群の間隔及び第３レンズ群と第４レンズ群の間隔が変化する。ここでレンズ群とは、ズーミンまたはフォーカシングに際して一体的に移動するレンズ要素であって、１枚以上のレンズを有していればよく、必ずしも複数枚のレンズを有していなくてもよい。光軸方向のレンズ間隔の変化によって分けられた１つ以上のレンズを有する部分群を言う。
【手続補正６】
【補正対象書類名】明細書
【補正対象項目名】００２４
【補正方法】変更
【補正の内容】
【００２４】
図１の実施例１、図５の実施例２のズームレンズＯＬは物体側から像側へ順に配置された、負の屈折力の第１レンズ群Ｌ１、正の屈折力の第２レンズ群Ｌ２、正の屈折力の第３レンズ群Ｌ３、負の屈折力の第４レンズ群Ｌ４より構成されている。広角端から望遠端へのズーミングに際し、第１レンズ群Ｌ１は像側に凸状の軌跡で移動し、第２レンズ群Ｌ２，第３レンズ群Ｌ３，第４レンズ群Ｌ４は物体側へ互いに異なった軌跡で移動する。第３レンズ群Ｌ３は無限遠から近距離へのフォーカシングに際して光軸に沿って物体側へ移動するフォーカスレンズ群である。
【手続補正７】
【補正対象書類名】明細書
【補正対象項目名】００２５
【補正方法】変更
【補正の内容】
【００２５】
図８の実施例３のズームレンズＯＬは物体側から像側へ順に配置された、負の屈折力の第１レンズ群Ｌ１、正の屈折力の第２レンズ群Ｌ２、正の屈折力の第３レンズ群Ｌ３、負の屈折力の第４レンズ群Ｌ４、正の屈折力の第５レンズ群Ｌ５より構成されている。広角端から望遠端へのズーミングに際して第１レンズ群Ｌ１は像側へ凸状の軌跡で移動し、第２レンズ群Ｌ２乃至第４レンズ群Ｌ４は互いに異なった軌跡で物体側へ移動する。第５レンズ群Ｌ５は不動である。第３レンズ群Ｌ３は無限遠から近距離へのフォーカシングに際して光軸に沿って物体側へ移動するフォーカスレンズ群である。
【手続補正８】
【補正対象書類名】明細書
【補正対象項目名】００２６
【補正方法】変更
【補正の内容】
【００２６】
図１１の実施例４のズームレンズＯＬは物体側から像側へ順に配置された、負の屈折力の第１レンズ群Ｌ１、正の屈折力の第２レンズ群Ｌ２、正の屈折力の第３レンズ群Ｌ３、負の屈折力の第４レンズ群Ｌ４より構成されている。無限遠に合焦しているとき広角端から望遠端へのズーミングに際し、第１レンズ群Ｌ１は像側へ凸状の軌跡で移動し、第２レンズ群Ｌ２と第３レンズ群Ｌ３は一体的に（同じ軌跡で）物体側へ移動する。第４レンズ群Ｌ４は他のレンズ群と異なった軌跡で物体側へ移動する。
【手続補正９】
【補正対象書類名】明細書
【補正対象項目名】００３６
【補正方法】変更
【補正の内容】
【００３６】
本発明のズームレンズはフォーカスレンズ群の像側に負の屈折力の第４レンズ群Ｌ４を配置することで、フォーカス敏感度を大きくし、フォーカシングに際してのフォーカスレンズ群の移動量を軽減し、レンズ全系の小型化を図っている。具体的には、物体側から像側へ順に配置された、負の屈折力の第１レンズ群Ｌ１、開口絞りＳＰを含む正の屈折力の第２レンズ群Ｌ２、正の屈折力の第３レンズ群Ｌ３、負の屈折力の第４レンズ群Ｌ４を有する。ズーミングに際して隣り合うレンズ群の間隔が変化する。そしてフォーカシングに際して第３レンズ群Ｌ３が移動する。
【手続補正１０】
【補正対象書類名】明細書
【補正対象項目名】００３７
【補正方法】変更
【補正の内容】
【００３７】
または、物体側から像側へ順に配置された、負の屈折力の第１レンズ群、開口絞りＳＰを含む正の屈折力の第２レンズ群Ｌ２、正の屈折力の第３レンズ群Ｌ３、負の屈折力の第４レンズ群Ｌ４を有する。無限遠合焦時のズーミングに際して第１レンズ群Ｌ１と第２レンズ群Ｌ２の間隔及び第３レンズ群Ｌ３と第４レンズ群Ｌ４の間隔が変化する。そしてフォーカシングに際して第３レンズ群Ｌ３が移動することにより第２レンズ群Ｌ２と第３レンズ群Ｌ３の間隔及び第３レンズ群Ｌ３と第４レンズ群Ｌ４の間隔が変化する。
【手続補正１１】
【補正対象書類名】明細書
【補正対象項目名】００６６
【補正方法】変更
【補正の内容】
【００６６】
【数１】
2016075742.tif 000001
【手続補正１２】
【補正対象書類名】明細書
【補正対象項目名】００６７
【補正方法】変更
【補正の内容】
【００６７】
で与えるものとする。各非球面係数において「ｅ−ｘ」は「１０-x」を意味する。また、焦点距離、Ｆナンバー等のスペックに加え、全系の半画角、像高は半画角を決定する最大像高、レンズ全長は第１レンズ面から像面までの距離である。バックフォーカスＢＦは最終レンズ面から像面までの長さを示している。また、各レンズ群データは、各レンズ群の焦点距離を示している。